(57)【特許請求の範囲】
【請求項１】
広告体を取り付けるための左右方向に長い棒状のバー部と、バー部の左右両端部とショーケースの天井部とを連結する回動可能なアーム部とからなるレール体を備え、レール体はアーム部の回動によって天井部の上面に対し起立・倒伏可能となるショーケースの広告取付装置において、
前記レール体を、アーム部の前方への回動によって天井部の上面内に起立すると共に後方への回動によって天井部の上面内に倒伏するように構成し、
前記レール体のバー部に前記広告体を留めるための複数のクリップを左右方向に移動自在で且つ離脱不能に設けた
ことを特徴とするショーケースの広告取付装置。
【請求項２】
前記クリップのバー部からアーム部への移動を防止するストッパを設けたことを特徴とする請求項１記載のショーケースの広告取付装置。
【請求項３】
前記バー部がショーケースの天井部の前面と略面一となるレール体の起立状態を固定する起立レール固定部材を設けたことを特徴とする請求項１または２記載のショーケースの広告取立装置。
【請求項４】
前記レール体の倒伏状態を固定する倒伏レール固定部材を設けたことを特徴とする請求項１〜３のいずれか記載のショーケースの広告取付装置。
【発明の詳細な説明】
【０００１】
【発明の属する技術分野】
本発明は、ショーケースの天井部上にＰＯＰ広告を取り付けるためのショーケースの広告取付装置に関するもである。
【０００２】
【従来の技術】
オープンショーケースの展示商品の販売を促進すべく広告用ポスター等のシート状のＰＯＰ(point of purchase）広告が一般的に用いられている。かかるＰＯＰ広告をショーケースの天井部上に取り付けるための装置として、従来、実開昭６２−１４９７７８号公報に開示されるものが知られている。この装置は、左右方向に長いバーと、バーの左右両端部とショーケースの天井部とを連結する回動アームとから成る広告吊下体を備えており、広告吊下体は回動アームの前方への回動によって倒伏し、後方への回動によって起立するように構成されている。そして、ＰＯＰ広告を広告吊下体のバーに吊り下げて表示するようになっている。
【０００３】
【発明が解決しようとする課題】
しかしながら、上記従来の装置では、広告吊下体のバーにＰＯＰ広告を吊り下げる際、当該装置とは別にクリップ、テープ等を用意する必要があり、広告取付作業が煩雑となっていた。
【０００４】
本発明は以上の点に鑑みてなされたもので、その目的は、クリップ、テープ等を別途用意することなくＰＯＰ広告を取り付けることができるショーケースの広告取付装置を提供することにある。
【０００５】
本発明は上記課題を解決するため、請求項１の本発明では、広告体を取り付けるための左右方向に長い棒状のバー部と、バー部の左右両端部とショーケースの天井部とを連結する回動可能なアーム部とからなるレール体を備え、レール体はアーム部の回動によって天井部の上面に対し起立・倒伏可能となるショーケースの広告取付装置において、前記レール体を、アーム部の前方への回動によって天井部の上面内に起立すると共に後方への回動によって天井部の上面内に倒伏するように構成し、前記レール体のバー部に前記広告体を留めるための複数のクリップを左右方向に移動自在で且つ離脱不能に設けたことを特徴としている。本発明によれば、レール体のバー部にクリップを一体的に付設したため、広告取付時にクリップ、テープ等を別途用意する手間がなくなる。
【０００６】
さらに、本発明では、前記レール体はアーム部の前方への回動によって天井部の上面内に起立すると共に後方への回動によって天井部の上面内に倒伏することを特徴としている。本発明によれば、使用時にアーム部を前方へ回動してレール体を立ち上げる一方、未使用時にレール体を後方に倒して消費者の視野外に置くことができる。
【０００７】
請求項２の本発明では、前記クリップのバー部からアーム部への移動を防止するストッパを設けたことを特徴としている。本発明によれば、ストッパによってクリップがバー部上からアーム部側に脱落することを確実に防止することができる。
【０００８】
請求項３の本発明では、前記バー部がショーケースの天井部の前面と略面一となるレール体の起立状態を固定する起立レール固定部材を設けたことを特徴としている。本発明によれば、起立レール固定部材によって所定起立位置にて固定されるレール体のバー部から広告体を天井部の前面と略面一にて吊り上げることができる。
【０００９】
請求項４の本発明では、前記レール体の倒伏状態を固定する倒伏レール固定部材を設けたことを特徴としている。本発明によれば、倒伏レール固定部材によって未使用時に後方に倒されたレール体を固定することができる。
【００１０】
【発明の実施の形態】
図１〜図５は本発明の一実施形態に係るもので、図１はショーケース及び広告取付装置を概略的に示す全体斜視説明図、図２はクリップの拡大図、図３は広告取付装置の使用状態を示す側面説明図、図４はアーム支持体の平面図、図５は倒伏レール固定体の斜視図である。
【００１１】
図１に示すオープンショーケース（以下単に「ショーケース」という。）１０は前方を開放する商品展示室１５を備えており、商品展示室１５の上下左右及び後方はショーケース１０の天井部１１、底部１２、左右両側部１３及び背部１４によって包囲されている。商品展示室１５には商品陳列用の複数段の棚１６が設けられている。また、ショーケース１０では、底部１２及び背部１４内に配設した冷凍ユニット（図示せず）によって商品展示室１５を冷却すると共に、底部１２、背部１４及び天井部１１内に形成した冷気循環・流通用のダクト（図示せず）によって商品展示室１５の前方の開放部にエアーカーテンを流下するようになっている。
【００１２】
ショーケース１０の天井部１１上には、商品展示室１５に展示する商品の販売促進用でシート状のＰＯＰ広告１を取り付けるための広告取付装置２０が設置されている。広告取付装置２０はワイヤー製で堅固なレール体としてのＰＯＰレール（以下単に「レール」という。）３０を備えている。レール３０は天井部１１の左右方向略全長に亘って長尺なバー部３１と、バー部３１の左右両端部から略９０度に曲がる、バー部３１に比べ短いアーム部３２とから略コの字状に形成されている。広告取付装置２０はまた、レール３０のバー部３１に左右方向に移動自在に付設された複数個のクリップ２１と、天井部１１の上面１１ａの左右両端付近に設置され、各アーム部３２を回動可能に支持するアーム支持体４０とを備えている。
【００１３】
クリップ２１は、図２に示すように、一本の針金を所要に折り曲げて形成されたもので、弾性的に閉じてＰＯＰ広告１の縁を挟持する挟持部２１ａと、挟持部２１ａを弾性的な付勢に抗して開くべく指で操作される操作部２１ｂと、挟持部２１ａ−操作部２１ｂ間にて針金が螺旋状に巻かれて成る円筒部２１ｃとを有している。クリップ２１は円筒部２１ｃからレール３０のバー部３１に環装されることにより、バー部３１に沿って移動自在で且つ離脱不能となる。尚、バー部３１の左右両端付近にはクリップ２１のバー部３１上からアーム３２側への移動を防止する円板状のストッパ３３が固設されている。
【００１４】
アーム支持体４０にはアーム部３２の末端部３２ａ（図３参照）が回転可能に連結され、この末端部３２ａを中心とするアーム部３２の前後方向への回動によって、レール３０は天井部１１上において起立・倒伏可能となる。アーム３２部の前方への回動は、図３に示すように、アーム支持体４０に設けられた起立レール固定部材４１によって制限され、この状態においてレール３０は、アーム部３２が天井部１１の上面１１ａに対し約６０度にて前方に傾斜すると共にバー部３１が天井部１１の前面１１ｂと略面一となる位置にて起立している（以下、このレール３０の状態を「起立状態」という。）。起立レール固定部材４１は、図４に示すように、アーム部３２を着脱自在に保持可能なアーム受け部４１ａを有している。更に、レール３０には左右のアーム部３２の末端部３２ａ付近間を連結する第２バー部３４（図１参照）が架設されており、一方、アーム支持体４０には起立状態におけるアーム３０の上記第２バー部３４を支持して、起立レール固定部材４１の負荷を軽減する第２バー支持部４２が設けられている。
【００１５】
レール３０はまた、アーム部３２の後方への回動によって天井部１１の上面１１ａ上に倒伏するが（図３の破線参照）、このレール３０の倒伏状態は図５に示す倒伏レール固定体５０によって固定される。倒伏レール固定体５０は、レール３０のバー部３１を着脱自在に保持可能な倒伏レール固定部材５１と、バー部３１を載置する左右のバー載置部５２とを有している。尚、倒伏レール固定部材５１は上述した起立レール固定部材４１と同一のものである。
【００１６】
以上の広告取付装置２０では、起立状態のレール３０のバー部３１に、バー部３１に一体的に付設したクリップ２１を介してＰＯＰ広告１を取り付けて表示することができる。この状態においてＰＯＰ広告１はショーケース１０の天井部１１の前面１１ｂと略面一にて吊り下げられる。また、未使用状態の広告取付装置２０ではレール３０を後方に倒し、バー部３１を倒伏レール固定部材５１によって固定してレール３０を収納することができる。
【００１７】
【発明の効果】
以上詳述したように、請求項１の発明によれば、レール体のバー部にクリップをバー部に沿って移動自在で且つ離脱不能に付設したため、クリップ、テープ等を別途用意することなくバー部に広告体を取り付けることができる。
【００１８】
さらに、本発明によれば、使用時にレール体を前方に立ち上げ、未使用時にレール体を後方に倒すことができる。
【００１９】
請求項２の本発明によれば、ストッパによってクリップがバー部上からアーム部側に移動することを確実に防止することができる。
【００２０】
請求項３の本発明によれば、起立レール固定部材によってバー部がショーケースの天井部の前面と略面一となる起立位置にてレール体を固定することにより、レール体のバー部から広告体を天井部の前面と略面一にて吊り下げることができる。
【００２１】
請求項４の本発明によれば、倒伏レール固定部材によって未使用時に後方に倒されたレール体を固定・収納することができる。
【図面の簡単な説明】
【図１】ショーケース及び広告取付装置を概略的に示す全体斜視説明図
【図２】クリップの拡大図
【図３】広告取付装置の使用状態を示す側面説明図
【図４】アーム支持体の平面図
【図５】倒伏レール固定体の斜視図
【符号の説明】
１…ＰＯＰ広告、１０…オープンショーケース、１１…天井部、１１ａ…天井部の上面、１１ｂ…天井部の前面、２０…広告取付装置、２１…クリップ、２１ｃ…円筒部、３０…ＰＯＰレール、３１…バー部、３２…アーム部、３３…ストッパ、４０…アーム支持体、４１…起立レール固定部材、５１…倒伏レール固定部材
【図１】
0003802317.tif 000002
【図２】
0003802317.tif 000003
【図３】
0003802317.tif 000004
【図４】
0003802317.tif 000005
【図５】
0003802317.tif 000006